(57)【特許請求の範囲】
【請求項１】
アンカーボルトが挿着されるアンカー保持筒の外周に形成される雄ねじ部に、型枠に固定するための固定ナットを螺合して成るアンカーボルト保持具の養生体において、
アンカー保持筒に被さってアンカー保持筒の雄ねじ部を覆うためのねじキャップ部と、固定ナットの外形と合致した内周形状を有し、かつ固定ナットに嵌着することによりねじキャップ部の抜けを防止するナットキャップ部とを備えたことを特徴とするアンカーボルト保持具の養生体。
【請求項２】
ねじキャップ部を合成樹脂にて形成したことを特徴とする請求項１に記載のアンカーボルト保持具の養生体。
【請求項３】
ねじキャップ部とナットキャップ部とを合成樹脂にて一体成形したことを特徴とする請求項１又は請求項２に記載のアンカーボルト保持具の養生体。
【請求項４】
ナットキャップ部を固定ナットの上部に嵌着するように構成したことを特徴とする請求項１乃至請求項３のいずれか１項に記載のアンカーボルト保持具の養生体。
【発明の詳細な説明】
【０００１】
【発明の属する技術分野】
本発明は、建物基礎に埋め込まれるアンカーボルトを基礎型枠のアンカーボルト位置決め具に取付けるためのアンカーボルト保持具の養生体に関するものである。
【０００２】
【従来の技術】
図１０に示すように、アンカーボルトａを基礎型枠ｂのアンカーボルト位置決め具ｃに取付ける場合には、アンカー保持筒ｄの外周に設けられた雄ねじ部ｅに固定ナットｆを螺合して成るアンカーボルト保持具ｇが使用されることが多い。すなわち、アンカーボルトａをアンカー保持筒ｄに挿入すると共にアンカー保持筒ｄから上方に突出するアンカーボルトａのねじ部ｈに抜け止めナットｉを螺合し、固定ナットｆを締め付けてアンカー保持筒ｄをアンカーボルト位置決め具ｃに固定することにより、アンカーボルトａをアンカーボルト位置決め具ｃに取付ける。
【０００３】
【発明が解決しようとする課題】
一方、コンクリートの打設の際に、アンカーボルト保持具ｇの雄ねじ部ｅに生コンクリートが付着すると、固定ナットｆが回り難くなるだけでなく、結果的にはアンカーボルト保持具ｇが使用できなくなるという問題がある。
そこで、現場責任者は、コンクリートポンプ車のオペレーターに対してアンカーボルト保持具ｇの雄ねじ部ｅに生コンクリートを付着しなように注意を促す必要がある。
【０００４】
しかし、コンクリートの打設は限られた時間内に迅速に行われなければならないので、オペレーターがアンカーボルト保持具ｇの雄ねじ部ｅに注意を向けるにも限界があり、アンカーボルト保持具ｇの雄ねじ部ｅへの生コンクリートの付着は回避できないという問題があった。
そこで、コンクリート打設前にアンカーボルト保持具ｇの雄ねじ部ｅに布を巻いて養生することも提案されたが、布を巻くのに手間取り、しかも、コンクリートの打設中に布が不用意に外れたりして養生効果を十分に発揮することができないという問題があった。
本発明は、上記の点に鑑みてなされたものであって、その目的とするところは、アンカーボルト保持具の雄ねじ部を確実に養生でき、また、アンカーボルト保持具への取付け手間もかからないアンカーボルト保持具の養生体を提供することにある。
【０００５】
【課題を解決するための手段】
上記目的を達成するために、請求項１の発明のアンカーボルトの養生キャップは、アンカーボルトが挿着されるアンカー保持筒の外周に形成される雄ねじ部に、型枠に固定するための固定ナットを螺合して成るアンカーボルト保持具の養生体において、アンカー保持筒に被さってアンカー保持筒の雄ねじ部を覆うためのねじキャップ部と、固定ナットの外形と合致した内周形状を有し、かつ固定ナットに嵌着することよりねじキャップ部の抜けを防止するナットキャップ部とを備えたことを特徴とする。
【０００６】
請求項２の発明のアンカーボルト保持具の養生体は、請求項１に記載のアンカーボルト保持具の養生体において、ねじキャップ部を合成樹脂にて形成したことを特徴とする。
【０００７】
請求項３の発明のアンカーボルト保持具の養生体は、請求項１又は請求項２に記載のアンカーボルト保持具の養生体において、ねじキャップ部とナットキャップ部とを合成樹脂にて一体成形したことを特徴とする。
【０００８】
請求項４のアンカーボルト保持具の養生体は、請求項１乃至請求項３のいずれか１項に記載のアンカーボルト保持具の養生体において、ナットキャップ部を固定ナットの上部に嵌着するように構成したことを特徴とする。
【０００９】
【発明の実施の形態】
以下、本発明の第１の実施形態を図１乃至図８に従って説明する。
養生体１が装着されるアンカーボルト保持具２は、図３に示すように、アンカーボルト３を挿着するためのアンカー保持筒４と、このアンカー保持筒４の中間部の外周面に形成される雄ねじ部５と、この雄ねじ部５の下方に位置するアンカー保持筒４の外周面から互いに逆方向に水平に突設される一対の係止突起６と、雄ねじ部５に螺合される固定ナット７とを備えており、このアンカーボルト保持具２は、図８に示すように、基礎型枠８の天端に配設されるアンカーボルト位置決め具９にアンカーボルト３を取付けるために使用されるものである。
【００１０】
養生体１は、図１乃至図４に示すように、アンカーボルト保持具２のアンカー保持筒４の雄ねじ部５に被さるねじキャップ部１０と、固定ナット７に装着されてねじキャップ部１０の抜けを防止するためにナットキャップ部１１とを備えており、ねじキャップ部１０とナットキャップ部１１とは合成樹脂にて一体成形されている。
【００１１】
ねじキャップ部１０の内部にはアンカー保持筒４を挿通するための挿通孔１０ａが形成されている。この挿通孔１０ａは、アンカーボルト保持具２のアンカー保持筒４の外径寸法よりも小さいが、合成樹脂の弾性によって拡開してアンカー保持筒４を強制的に挿通できる大きさに設定されている。そして、アンカー保持筒４の外形寸法が大きいものに使用する際には、カッター等でその上方を切断することによって大きな挿通孔１０ａを得られるようにして、アンカー保持筒４の種類にかかわらず適用できるようになっていいる。このために、養生体１の材質は、軟質合成樹脂等からなる容易に切断できるものが好ましい。
【００１２】
ナットキャップ部１１の内周形状は固定ナット７の外形と合致しており、また、ナットキャップ部１１は固定ナット７の上部にのみ嵌着できるようにキャップ深さは浅く設定されている。これにより養生体１のナットキャップ部１１を固定ナット７に嵌着してもスパナを固定ナット７に直接掛けることができる。
また、ナットキャップ部１１は下方に向けて緩やかに拡開して固定ナット７を容易に嵌着できるようになっている。
【００１３】
アンカーボルト位置決め具９は、図８に示すように、金属板製の位置決め具本体１２と、この位置決め具本体１２に穿設されるコンクリート打設用の開口部１３と、アンカーボルト３を取付けるためのアンカーボルト取付片１４と、アンカーボルト３を係止するためにアンカーボルト取付片１４に穿設される取付孔１５と、この取付孔１５を開口部１３側に開放させるためのアンカーボルト挿入口１６とから成り、このアンカーボルト位置決め具９は基礎型枠８の天端にアンカーボルト３を位置決めすると共に、基礎型枠８の精度を向上させるのに使用されるものである。
【００１４】
アンカーボルト取付片１４は位置決め具本体１２の開口部１３の内周縁から水平に突設しており、取付孔１５の中心は建物基礎のモジュール芯の上に位置するように設定されている。
取付孔１５は、図７に示すように、アンカーボルト保持具２の外径よりも大きくなるように形成されており、取付孔１５の孔縁部にはアンカーボルト保持具２の係止突起６を通過させるための切り込み部１９が設けられている。また、アンカーボルト挿入口１６の口縁部は取付孔１５内へのアンカーボルト３の挿入を容易にするために開口部１３側に向けて拡開している。
【００１５】
次に、養生体１が装着されたアンカーボルト保持具２を用いて基礎型枠８にアンカーボルト３を取付ける作業について説明する。
（１）まず、図３及び図４に示すように、養生体１の挿通孔１０ａにアンカーボルト保持具２のアンカー保持筒４を通して養生体１をアンカーボルト保持具２に装着する。このとき、養生体１のねじキャップ部１０の挿通孔１０ａは拡開してアンカー保持筒４の外周面に密着すると共に、ナットキャップ部１１は固定ナット７の上部に嵌着する。
【００１６】
（２）次に、図５及び図６に示すように、アンカーボルト３をアンカーボルト保持具２のアンカー保持筒４に挿通してアンカーボルト３の上端のねじ部１７をアンカー保持筒４から突出し、このアンカーボルト３のねじ部１７に抜け止め用ナット１８を螺合することにより、アンカーボルト３をアンカーボルト保持具２に取付ける。
【００１７】
（３）次に、図７に示すように、アンカーボルト保持具２をアンカーボルト位置決め具９の開口部１３内に位置させた後、水平に移動させてアンカーボルト位置決め具９のアンカーボルト挿入口１６から取付孔１５内に挿入すると共に、アンカーボルト保持具２の係止突起６を取付孔１５の孔縁部の下方に位置させる。
【００１８】
（４）次に、図８に示すように、固定ナット７を作業者の手で直接締め付けたり、スパナを用いて締め付けることにより、アンカーボルト保持具２の係止突起６と固定ナット７とで取付孔１５の孔縁部を挟着してアンカーボルト３をアンカーボルト位置決め具９に係止する。
【００１９】
（５）次に、図８の二点鎖線で示すように、抜け止め用ナット１８を回してアンカーボルト３を上下させることにより、アンカーボルト３の高さを調整する。
【００２０】
このようにアンカーボルト保持具２を用いてアンカーボルト３を基礎型枠８に取付けた後に、アンカーボルト位置決め具９の開口部１３から基礎型枠８内にコンクリートポンプ車にてコンクリートを打設する。
このとき、養生体１の存在により生コンクリートがアンカーボルト保持具２の雄ねじ部５に付着することがなくなる。
【００２１】
コンクリート固化後に基礎型枠８を脱型する場合には、まず、アンカーボルト保持具２の固定ナット７をスパナによって緩める。このとき、養生体１は固定ナット７と共に回転する。また、アンカーボルト３のねじ部１７から抜け止め用ナット１８を外す。次に、アンカーボルト保持具２を略９０度回転させてアンカーボルト保持具２の係止突起６をアンカーボルト位置決め具９の取付孔１５の切り込み部１９に合致させた後、アンカーボルト保持具２を上方に移動させてアンカーボルト保持具２をアンカーボルト３から引き抜く。次に、アンカーボルト位置決め具９を基礎型枠８から取り外して基礎型枠８の脱型を行う。
【００２２】
養生体１を再度使用する場合には、養生体１は既にアンカーボルト保持具２に装着されているので、養生体１を装着する手間を省くことができる。このように、養生体１を一度アンカーボルト保持具２に装着すれば、その後は養生体１をアンカーボルト保持具２に装着したまま保管して再使用することができ、アンカーボルト保持具２への養生体１の取付け手間は一回で済ませることができる。
【００２３】
図９は、本発明の第２の実施形態の使用状態を示している。
養生体１Ａのねじキャップ部１０Ａは、アンカー保持筒４及びアンカー保持筒４から突出するアンカーボルト３のねじ部１７を覆うものであり、ねじキャップ部１０Ａの内径寸法は抜け止め用ナット１８をねじキャップ部１０Ａ内に挿入できる大きさに設定されている。また、ナットキャップ部１１Ａの構成は第１の実施形態は同じである。
【００２４】
この養生体１Ａは、アンカーボルト保持具２をアンカーボルト位置決め具９に取付ける前にアンカーボルト保持具２に予め装着されるものではなく、図９に示すように、アンカーボルト保持具２をアンカーボルト位置決め具９に取付けてアンカーボルト３の高さ調整が完了した後に、アンカーボルト保持具２に装着されるものである。
この養生体１Ａによれば、アンカーボルト保持具２のアンカー保持筒４の雄ねじ部５に生コンクリートが付着するのを防止できるのみならず、アンカーボルト３のねじ部１７に生コンクリートが付着するのも防止することができる。
【００２５】
【発明の効果】
以上説明したように、請求項１の発明のアンカーボルト保持具の養生体によれば、ねじキャップ部でアンカーボルト保持具の雄ねじ部を覆うことにより、コンクリートの打設中に生コンクリートがアンカーボルト保持具の雄ねじ部に付着するのを防ぐことができるので、コンクリート打設後に固定ナットの操作に支障が生じず、アンカーボルト保持具を永く使用することができて施工コストの面で有利になる。
しかも、ナットキャップ部を固定ナットに嵌着することができるので、コンクリート打設中にねじキャップ部がアンカーボルト保持具から不用意に抜け落ちるのを防止することができる。
【００２６】
請求項２のアンカーボルト保持具の養生体によれば、ねじキャップ部の頭部を切断してアンカー保持筒の外径寸法に適合した大きさの挿入孔を形成することができるので、アンカー保持筒の種類に拘らずアンカー保持筒の外周面にねじキャップ部の挿入孔の孔縁部を常に密着させることができ、挿入孔が存在することによる養生機能の低下を防止することができる。
【００２７】
請求項３の発明のアンカーボルト保持具の養生体によれば、合成樹脂はコンクリートとの剥離性が良いことから、養生体に付着したコンクリートを容易に剥離することができ、手入れが簡単になる。
【００２８】
請求項４の発明のアンカーボルト保持具の養生体によれば、ナットキャップ部を固定ナットの上部に嵌着するように構成したので、スパナを固定ナットに直接掛けて固定ナットを確実に締め付けることができる。
【図面の簡単な説明】
【図１】本発明の第１の実施形態のアンカーボルト保持具の養生体の斜視図である。
【図２】同養生体の縦断面図である。
【図３】同養生体のアンカーボルト保持具への嵌め込み動作を説明する斜視図である。
【図４】同養生体をアンカーボルト保持具に嵌め込んだ状態を示す斜視図である。
【図５】同養生体が嵌め込まれたアンカーボルト保持具によるアンカーボルトの取付け動作を説明する斜視図である。
【図６】同養生体が嵌め込まれたアンカーボルト保持具によるアンカーボルトの取付け動作を説明する斜視図である。
【図７】同養生体が嵌め込まれたアンカーボルト保持具によるアンカーボルトの取付け動作を説明する斜視図である。
【図８】同養生体が嵌め込まれたアンカーボルト保持具によるアンカーボルトの取付け状態を示す斜視図である。
【図９】本発明の第２の実施形態の養生体が嵌め込まれたアンカーボルト保持具によるアンカーボルトの取付け状態を示す斜視図である。
【図１０】アンカーボルト保持具によるアンカーボルトの取付状態を示す斜視図である。
【符号の説明】
１    養生体
１Ａ  養生体
２    アンカーボルト保持具
３    アンカーボルト
４    アンカー保持筒
５    雄ねじ部
６    係止突起
７    固定ナット
８    基礎型枠
９    アンカーボルト位置決め具
１０    ねじキャップ部
１０ａ  挿通孔
１０Ａ  ねじキャップ部
１１    ナットキャップ部
１１Ａ  ナットキャップ部
【図１】
0003635612.tif 000002
【図２】
0003635612.tif 000003
【図３】
0003635612.tif 000004
【図４】
0003635612.tif 000005
【図５】
0003635612.tif 000006
【図６】
0003635612.tif 000007
【図７】
0003635612.tif 000008
【図８】
0003635612.tif 000009
【図９】
0003635612.tif 000010
【図１０】
0003635612.tif 000011